(57)【要約】【課題】ＣＰＵに関するコスト削減および基板占有面積の縮小を実現すること。【解決手段】制御装置は、交流電源１１からの三相交流電圧を直流電圧に変換する整流回路１２、２１と、直流電圧を交流電圧に変換して圧縮機モータＭ１に出力するインバータ１３と、整流回路１２、２１の出力側にそれぞれ接続された平滑コンデンサ１４、２４と、整流回路２１から出力される直流電圧からインバータ１３の電源電圧を生成するインバータ用電源回路２２ａと、圧縮機モータＭ１の制御機能と補機の制御機能とを搭載したＣＰＵ２３と、整流回路２１から出力される直流電圧からＣＰＵ２３の電源電圧を生成するＣＰＵ用電源回路２２ｂと、直流正極母線Ａ（＋）と直流正極母線Ｂ（＋）とを接続する正極配線Ｃ（＋）に設けられた第１ダイオード２６と、直流負極母線Ａ（−）と直流負極母線Ｂ（−）とを接続する負極配線Ｃ（−）に設けられた第２ダイオード２７とを備える。【選択図】図２
2017208972.tif 000002
【特許請求の範囲】
【請求項１】
三相四線式の交流電源に接続され、空気調和機の圧縮機モータおよび補機を制御する制御装置であって、
前記交流電源からの三相交流電圧を直流電圧に変換する第１整流回路と、
前記第１整流回路から出力された直流電圧を交流電圧に変換して前記圧縮機モータに出力するインバータと、
前記第１整流回路の出力側に接続された第１平滑コンデンサと、
前記三相交流電圧を直流電圧に変換する第２整流回路と、
前記第２整流回路から出力される直流電圧から前記インバータの電源電圧を生成するインバータ用電源回路と、
前記圧縮機モータの制御機能と前記補機の制御機能とを搭載したＣＰＵと、
前記第２整流回路から出力される直流電圧から前記ＣＰＵの電源電圧を生成するＣＰＵ用電源回路と、
前記第２整流回路の出力側に接続された第２平滑コンデンサと、
前記第１整流回路と前記インバータとの間の第１正極母線と、前記第２整流回路と前記ＣＰＵ用電源回路との間の第２正極母線とを接続する正極配線と、
前記正極配線に設けられた第１ダイオードと、
前記第１整流回路と前記インバータとの間の第１負極母線と、前記第２整流回路と前記ＣＰＵ用電源回路との間の第２負極母線とを接続する負極配線と、
前記負極配線に設けられた第２ダイオードと
を備え、
前記第１ダイオードは、前記第１正極母線から前記第２正極母線に電流が流れる向きに接続され、
前記第２ダイオードは、前記第２負極母線から第１負極母線に電流が流れるように接続される制御装置。
【請求項２】
前記インバータ用電源回路と前記ＣＰＵ用電源回路とが一体化されている請求項１に記載の制御装置。
【請求項３】
前記第２整流回路から出力される直流電圧から前記補機の電源電圧を生成する補機用電源回路を備え、
前記補機用電源回路は、前記インバータ用電源回路および前記ＣＰＵ用電源回路と一体化されている請求項１または請求項２に記載の制御装置。
【請求項４】
三相四線式の交流電源に接続され、空気調和機の圧縮機モータおよび補機を制御する制御装置であって、
前記交流電源の三相のうちのいずれか一相と中性点とに接続され、交流電圧を直流電圧に変換する整流回路と、
前記整流回路の出力側に接続された平滑コンデンサと、
前記整流回路から出力される直流電圧から前記補機の電源電圧を生成する補機用電源回路と、
前記圧縮機モータの制御機能と、前記補機の制御機能とを搭載したＣＰＵと、
前記整流回路から出力される直流電圧から前記ＣＰＵの電源電圧を生成するＣＰＵ用電源回路と
を備える制御装置。
【請求項５】
前記補機用電源回路と前記ＣＰＵ用電源回路とが一体化されている請求項４に記載の制御装置。
【請求項６】
請求項１から請求項５のいずれかに記載の制御装置を備える空気調和機。
【発明の詳細な説明】
【技術分野】
【０００１】
本発明は、空気調和機に係り、特に、圧縮機モータ及び補機を制御する制御装置に関するものである。
【背景技術】
【０００２】
中性点を接地した３相４線式の交流電源を用いる空気調和機の制御装置として図６に示される回路が提案されている。図６に示す制御装置は、圧縮機モータＭ１を駆動する主回路５１と、ファンモータＭ２を駆動する補機回路５２とを備えている。
主回路５１は、三相交流電圧を整流する整流回路６１と、整流回路６１から出力される直流電圧を交流電圧に変換し、圧縮機モータＭ１に供給するインバータ６２と、インバータ６２を制御するためのＣＰＵ６３を備えている。整流回路６１とインバータ６２との間の出力ラインには、絶縁型のインバータ用スイッチング電源回路６４が接続されている。インバータ用スイッチング電源回路６４は、整流回路６１から出力される直流電圧からインバータ６２の電源電圧を生成してインバータ６２に供給するとともに、ＣＰＵ６３に適した電源電圧を生成し、ＣＰＵ６３に出力する。
【０００３】
補機回路５２は、三相のうちの一相Ｌ１と中性点Ｎとに接続され、交流電圧を直流電圧に変換してファンモータＭ２に供給する整流回路７１と、ファンモータＭ２を制御するためのＣＰＵ７２とを備えている。整流回路７１の出力ラインには、絶縁型のファンモータ用スイッチング電源回路７３が接続されている。ファンモータ用電源回路７３は、整流回路７１から出力される直流電圧からファンモータＭ２の電源電圧を生成してファンモータＭ２に供給するとともに、ＣＰＵ７２に適した電源電圧を生成し、ＣＰＵ７２に出力する。
【先行技術文献】
【特許文献】
【０００４】
【特許文献１】特開平６−３１９２９３号公報
【発明の概要】
【発明が解決しようとする課題】
【０００５】
図６に示した制御装置では、インバータ制御用のＣＰＵ６３と、ファンモータ制御用のＣＰＵ７２とが設けられている。このため、コストが高く、基板占有面積も増大するという問題があった。
【０００６】
本発明は、このような事情に鑑みてなされたものであって、ＣＰＵに関するコスト削減および基板占有面積の縮小を実現することのできる制御装置および空気調和機を提供することを目的とする。
【課題を解決するための手段】
【０００７】
本発明の第１態様は、三相四線式の交流電源に接続され、空気調和機の圧縮機モータおよび補機を制御する制御装置であって、前記交流電源からの三相交流電圧を直流電圧に変換する第１整流回路と、前記第１整流回路から出力された直流電圧を交流電圧に変換して前記圧縮機モータに出力するインバータと、前記第１整流回路の出力側に接続された第１平滑コンデンサと、前記三相交流電圧を直流電圧に変換する第２整流回路と、前記第２整流回路から出力される直流電圧から前記インバータの電源電圧を生成するインバータ用電源回路と、前記圧縮機モータの制御機能と前記補機の制御機能とを搭載したＣＰＵと、前記第２整流回路から出力される直流電圧から前記ＣＰＵの電源電圧を生成するＣＰＵ用電源回路と、前記第２整流回路の出力側に接続された第２平滑コンデンサと、前記第１整流回路と前記インバータとの間の第１正極母線と前記第２整流回路と前記ＣＰＵ用電源回路との間の第２正極母線とを接続する正極配線と、前記正極配線に設けられた第１ダイオードと、前記第１整流回路と前記インバータとの間の第１負極母線と前記第２整流回路と前記ＣＰＵ用電源回路との間の第２負極母線とを接続する負極配線と、前記負極配線に設けられた第２ダイオードとを備え、前記第１ダイオードは、前記第１正極母線から前記第２正極母線に電流が流れる向きに接続され、前記第２ダイオードは、前記第２負極母線から第１負極母線に電流が流れるように接続される制御装置である。
【０００８】
上記態様によれば、インバータ制御と補機制御とを共通のＣＰＵで実現するので、コストの削減を図ることが可能となる。また、第１正極母線と第２正極母線とが正極配線で接続され、第１負極母線と第２負極母線とが負極配線で接続されているので、インバータ等の駆動中に交流電源からの電力供給が遮断された場合に、第１平滑コンデンサ及び第２平滑に蓄えられていた電荷をインバータ用電源回路やＣＰＵ用電源回路によって速やかに放電することが可能となる。さらに、第１平滑コンデンサ及び第２平滑コンデンサの電荷が完全に放電されるまでは、第２平滑コンデンサの両端電圧がＣＰＵ用電源回路に供給され続けることとなるので、ＣＰＵの電源電圧を維持することができる。これにより、予期せぬ事象によって交流電源が突然遮断された場合でも、ＣＰＵによる運転終了処理を実行させることが可能となる。
【０００９】
上記制御装置において、前記インバータ用電源回路と前記ＣＰＵ用電源回路とが一体化されていてもよい。
このようにすることで、部品点数を削減することが可能となる。
【００１０】
上記制御装置は、前記第２整流回路から出力される直流電圧から前記補機の電源電圧を生成する補機用電源回路を更に備え、前記補機用電源回路は前記インバータ用電源回路および前記ＣＰＵ用電源回路と一体化されていてもよい。
別体として設けられていた補機用電源回路についても、インバータ用電源回路およびＣＰＵ用電源回路と一体化することにより、部品点数をさらに削減することが可能となる。
【００１１】
本発明の第２態様は、三相四線式の交流電源に接続され、空気調和機の圧縮機モータおよび補機を制御する制御装置であって、前記交流電源の三相のうちのいずれか一相と中性点とに接続され、交流電圧を直流電圧に変換する整流回路と、前記整流回路の出力側に接続された平滑コンデンサと、前記整流回路から出力される直流電圧から前記補機の電源電圧を生成する補機用電源回路と、前記圧縮機モータの制御機能と前記補機の制御機能とを搭載したＣＰＵと、前記整流回路から出力される直流電圧から前記ＣＰＵの電源電圧を生成するＣＰＵ用電源回路とを備える制御装置である。
【００１２】
上記態様によれば、インバータ制御と補機制御とを共通のＣＰＵで実現するので、コストの削減を図ることが可能となる。また、整流回路の出力側に補機用電源回路が設けられているので、補機の駆動中に交流電源からの電力供給が遮断された場合に、平滑コンデンサに蓄えられていた電荷を補機用電源回路や補機によって速やかに放電することが可能となる。さらに、平滑コンデンサの電荷が完全に放電されるまでは、平滑コンデンサの両端電圧が補機用電源回路に供給され続けることとなるので、ＣＰＵの電源電圧を維持することができる。これにより、予期せぬ事象によって交流電源が突然遮断された場合でも、ＣＰＵによる運転終了処理を実行させることが可能となる。
【００１３】
上記制御装置において、前記補機用電源回路と前記ＣＰＵ用電源回路とが一体化されていてもよい。
このようにすることで、部品点数を削減することが可能となる。
【００１４】
本発明の第３態様は、上記制御装置を備える空気調和機である。
【発明の効果】
【００１５】
本発明によれば、ＣＰＵに関するコスト削減および基板占有面積の縮小を実現することができるという効果を奏する。
【図面の簡単な説明】
【００１６】
【図１】本発明の第１実施形態に係る空気調和機の概略構成を示した図である。
【図２】本発明の第１実施形態に係る制御装置の概略構成を示した図である。
【図３】本発明の第１実施形態に係るスイッチの制御シーケンスの一例を示した図である。
【図４】本発明の第２実施形態に係る制御装置の概略構成を示した図である。
【図５】本発明の第３実施形態に係る制御装置の概略構成を示した図である。
【図６】従来の制御装置の概略構成を示した図である。
【発明を実施するための形態】
【００１７】
〔第１実施形態〕
以下に、本発明の第１実施形態に係る制御装置および該制御装置を備える空気調和機について、図面を参照して説明する。
図１は、本実施形態に係る空気調和機の概略構成を示した図である。図１に示すように、空気調和機１は、室外機１ａと、室外機１ａと共通の冷媒配管により接続される室内機１ｂとを備える。図１では、便宜上、１台の室外機１ａに、１台の室内機１ｂが接続されている構成を例示しているが、室外機１ａの設置台数及び室内機１ｂの接続台数については限定されない。
【００１８】
室外機１ａは、例えば、冷媒を圧縮して送出する圧縮機２、冷媒の循環方向を切り換える四方弁３、冷媒と外気との間で熱交換を行う室外熱交換器４、室外ファン５、冷媒の機液分離等を目的として圧縮機２の吸入側配管に設けられたアキュムレータ６等を備えている。室内機１ｂは、室内熱交換器７、室内ファン８、及び電子膨張弁９等を備えている。
【００１９】
図２は、本実施形態に係る制御装置の概略回路構成を示した図である。制御装置は、例えば、空気調和機１の室外機１ａが備える圧縮機２の圧縮機モータＭ１および室外ファン５のファンモータＭ２を制御する制御装置であり、三相四線式の交流電源１１から電力供給を受ける構成とされている。
【００２０】
制御装置は、主回路１０と、制御用回路２０と、補機回路３０とを主な構成として備えている。主回路１０は、交流電源１１の三相交流電圧を直流電圧に変換する整流回路（第１整流回路）１２と、整流回路１２から出力された直流電圧を交流電圧に変換して圧縮機モータＭ１に供給するインバータ１３と、整流回路１２の出力ラインにインバータ１３と並列に接続された平滑コンデンサ１４とを主な構成として備えている。具体的には、平滑コンデンサ１４は、直流正極母線（第１正極母線）Ａ（＋）と直流負極母線（第１負極母線）Ａ（−）との間に接続されている。
【００２１】
制御用回路２０は、交流電源１１の三相交流電圧を直流電圧に変換する整流回路（第２整流回路）２１、整流回路２１から出力された直流電圧から電源電圧を生成するインバータ用スイッチング電源回路２２、ＣＰＵ２３、及び整流回路２１の出力ラインにインバータ用スイッチング電源回路２２と並列に接続された平滑コンデンサ２４を主な構成として備えている。具体的には、平滑コンデンサ２４は、直流正極母線（第２正極母線）Ｂ（＋）と直流負極母線（第２負極母線）Ｂ（−）との間に接続されている。
【００２２】
インバータ用スイッチング電源回路２２は、インバータ１３の電源電圧（例えば、１５Ｖ）を生成するためのインバータ用電源回路２２ａと、ＣＰＵ２３の電源電圧（例えば、５Ｖ）を生成するためのＣＰＵ用電源回路２２ｂとを備えている。インバータ用スイッチング電源回路２２は、非絶縁型でも絶縁型でもよい。また、インバータ用スイッチング電源回路２２に代えて、レギュレータや分圧抵抗等を用いることも可能である。
また、本実施形態では、インバータ用電源回路２２ａと、ＣＰＵ用電源回路２２ｂとを一体化させたインバータ用スイッチング電源回路２２としているが、インバータ用電源回路２２ａと、ＣＰＵ用電源回路２２ｂとを別体型として個々に設けてもよい。このように、制御装置は、整流回路２１から出力される直流電圧からインバータ１３の電源電圧及びＣＰＵ２３の電源電圧を生成する構成を備えていればよく、その具体的な構成については限定されない。
インバータ用電源回路２２ａの出力は、インバータ１３に供給され、ＣＰＵ用電源回路２２ｂの出力は、ＣＰＵ２３に供給される。ＣＰＵ２３は、圧縮機モータＭ１の制御プログラム、ファンモータＭ２の制御プログラム、スイッチのオンオフ制御プログラム等を搭載している。
【００２３】
直流正極母線Ａ（＋）と、直流正極母線Ｂ（＋）とは、正極配線Ｃ（＋）で接続されている。この正極配線Ｃ（＋）には、抵抗２５及び第１ダイオード２６が直列に接続されている。同様に、直流負極母線Ａ（−）と直流負極母線Ｂ（−）とは、負極配線Ｃ（−）で接続されている。この負極配線Ｃ（−）には、第２ダイオード２７が接続されている。第１ダイオード２６は、直流正極母線Ａ（＋）から直流正極母線Ｂ（＋）に電流が流れる向きに接続され、第２ダイオード２７は、直流負極母線Ｂ（−）から直流負極母線Ａ（−）に電流が流れるように接続されている。
更に、制御用回路２０のグランドＧＮＤ１は、主回路１０のグランドＧＮＤ１と共通化されている。
【００２４】
補機回路３０は、交流電源１１の三相のうちのいずれか一相Ｌ１と中性点Ｎとに接続され、交流電圧を直流電圧に変換し、ファンモータＭ２に出力する整流回路３１、及び整流回路３１から出力された直流電圧からファンモータＭ２の電源電圧を生成する補機用スイッチング電源回路３２とを備えている。
補機用スイッチング電源回路３２は、非絶縁型でも絶縁型でもよい。また、補機用スイッチング電源回路３２に代えて、レギュレータ等を用いることも可能である。
補機回路３０のグランドＧＮＤ２として、主回路１０及び制御用回路２０とは異なるグランドが用いられる。これは、主回路１０等が三相交流電圧を入力電圧としているのに対し、補機回路３０はＬ１相と中性点Ｎからの交流電圧を入力電圧としており、入力電圧が異なるからである。
【００２５】
主回路１０において、交流電源１１と整流回路１２との間には、突入電流抑制用のリレーＳＷ１及び定常時用のリレーＳＷ２が設けられている。また、インバータ用スイッチング電源回路２２のインバータ用電源回路２２ａとインバータ１３とをつなぐ電源ラインには、リレーＳＷ３が設けられている。交流電源１１の一相Ｌ１と整流回路３１とを接続する電源ラインにはリレーＳＷ５が設けられている。
【００２６】
次に、本実施形態に係る制御装置の制御シーケンスについて図３を参照して説明する。上記各リレーＳＷ１〜３、５の開閉制御は、ＣＰＵ２３がスイッチのオンオフ制御プログラムを実行することによって実現される。
【００２７】
（状態１）
ブレーカオフ時には、全てのリレーＳＷ１〜３、５はオフ状態（開状態）とされている。
【００２８】
（状態２）
ブレーカオフからブレーカオンに変わると、三相交流電圧が整流回路２１によって直流電圧に変換される。インバータ用スイッチング電源回路２２では、インバータ用電源回路２２ａによってインバータ１３の電源電圧が生成され、ＣＰＵ用電源回路２２ｂによってＣＰＵ２３の電源電圧が生成される。これにより、ＣＰＵ２３には電源電圧が供給され、スタンバイ状態となる。なお、この時点において、リレーＳＷ３はオフ状態にあるので、インバータ１３には電源電圧が入力されない。
【００２９】
（状態３）
リモコン等が操作されることにより、空気調和機の運転指令が入力されると、リレーＳＷ３がオン状態（閉状態）とされることにより、インバータ１３にインバータ電源電圧が供給され、インバータ１３もスタンバイ状態となる。
【００３０】
（状態４）
続いて、リレーＳＷ１及びリレーＳＷ５がオン状態とされる。これにより、主回路１０において、三相交流電圧が整流回路１２によって直流電圧に変換され、インバータ１３に供給される。また、ＣＰＵ２３がインバータ制御用プログラムおよび補機用制御プログラムを実行することにより、インバータ用制御信号および補機用制御信号がそれ生成される。インバータ用制御信号はインバータ１３に供給される。これにより、インバータ用制御信号に基づくインバータ１３のスイッチング動作が開始され、直流電圧が三相交流電圧に変換されて、圧縮機モータＭ１に供給される。一方、補機回路３０では、リレーＳＷ５がオン状態とされることにより、交流電圧が整流回路３１に供給され、整流回路３１から直流電圧がファンモータＭ２及び補機用スイッチング電源回路３２に供給される。補機用スイッチング電源回路３２では、直流電圧からファンモータＭ２の電源電圧が生成され、ファンモータＭ２に供給される。また、ファンモータＭ２には、ＣＰＵ２３において生成された補機用制御信号がフォトカプラ３５を介して入力される。これにより、補機用制御信号に基づくファンモータＭ２の制御が行われる。
【００３１】
（状態５）
次に、リレーＳＷ１がオン状態とされてから所定時間（例えば、数秒）が経過することにより平滑コンデンサ１４の充電が完了し、平滑コンデンサ１４の両端電圧が一定値で安定すると、リレーＳＷ２がオン状態とされる。
【００３２】
上記状態２〜５において、交流電源からの電力供給が切断されると、交流電源１１から主回路１０、制御用回路２０、及び補機回路３０への電源供給が遮断される。このとき、主回路１０の直流正極母線Ａ（＋）と制御用回路２０の直流正極母線Ｂ（＋）とは正極配線Ｃ（＋）で接続され、直流負極母線Ａ（−）と直流負極母線Ｂ（−）とは負極配線Ｃ（−）で接続されているので、直流正極母線Ｂ（＋）の電位と直流正極母線Ａ（＋）の電位とを一致させることができるとともに、平滑コンデンサ１４、２４に蓄電されていた電荷を抵抗２５及びインバータ用スイッチング電源回路２２によって消費させることができる。これにより、平滑コンデンサ１４、２４の電荷を速やかに放電させることが可能となる。更に、平滑コンデンサ１４、２４の電荷が完全に放電されるまでは、平滑コンデンサ２４の両端電圧がインバータ用スイッチング電源回路２２に供給され続けることとなる。したがって、電源が切断された後においてもＣＰＵ２３の電源電圧を多少維持することができ、リレーＳＷ１〜３、５をオフ状態に制御することができる。
【００３３】
また、補機回路３０において、平滑コンデンサ３３に蓄電されていた電荷は補機用スイッチング電源回路３２及びファンモータＭ２によって消費されるので、平滑コンデンサ３３の電荷を速やかに放電させることが可能となる。
【００３４】
以上、説明したように、本実施形態に係る制御装置及び制御装置を備える空気調和機によれば、インバータ制御と補機制御とを共通のＣＰＵ２３で実現することができる。これにより、コストの低減を図ることが可能となる。
更に、直流正極母線Ａ（＋）と直流正極母線Ｂ（＋）とが正極配線Ｃ（＋）で接続され、直流負極母線Ａ（−）と直流負極母線Ｂ（−）とが負極配線Ｃ（−）で接続されているので、交流電源１１からの電力供給が遮断された場合に、平滑コンデンサ１４、２４に蓄えられていた電荷を抵抗２５及びインバータ用スイッチング電源回路２２によって速やかに放電することが可能となる。更に、平滑コンデンサ１４、２４の電荷が完全に放電されるまでは、平滑コンデンサ２４の両端電圧がインバータ用スイッチング電源回路２２に供給され続けることとなるので、ＣＰＵ２３の電源電圧を維持することができる。これにより、ＣＰＵ２３は、電源遮断時の制御シーケンスに従ってリレーＳＷ１〜３、５をオフ状態とすることができる。
【００３５】
また、ブレーカオフの状態において、強風などの影響により室外ファン５（図１参照）が空回りした場合、逆起電力が発生し、補機回路３０の平滑コンデンサ３３が充電されることがある。しかしながらこの場合においても、電荷はファンモータＭ２及び補機用スイッチング電源回路３２によって消費されることとなるので、長時間に渡って、平滑コンデンサ３３に電荷が蓄えられている状態を回避することができる。
【００３６】
〔第２実施形態〕
以下に、本発明の第２実施形態に係る制御装置および該制御装置を備える空気調和機について、図面を参照して説明する。なお、第１実施形態と共通する構成については同一の符号を付し説明を省略し、異なる点について主に説明する。
【００３７】
図４は、本発明の第２実施形態に係る制御装置の概略回路構成を示した図である。本実施形態に係る制御装置は、補機用スイッチング電源回路がインバータ用スイッチング電源回路と一体化されている点が第１実施形態に係る制御装置と異なる。すなわち、インバータ用スイッチング電源回路２２´が、インバータ用電源回路２２ａ、ＣＰＵ用電源回路２２ｂ、及び補機用電源回路２２ｃを備えている。補機用電源回路２２ｃとファンモータＭ２とを接続する出力ラインには、リレーＳＷ４が設けられている。また、補機用電源回路２２ｃのグランドＧＮＤ２は、補機回路３０ａのグランドＧＮＤ２と共通化されている。また、補機回路３０ａについては、平滑コンデンサ３３と並列に抵抗３４が接続されている。この抵抗３４は、平滑コンデンサ３３の電荷を放電させるために設けられた放電用抵抗である。
【００３８】
本実施形態に係る制御装置によれば、三相交流電圧が整流回路２１によって直流電圧に変換され、インバータ用スイッチング電源回路２２´に出力される。インバータ用スイッチング電源回路２２´の補機用電源回路２２ｃでは、この直流電源からファンモータＭ２の電源電圧が生成される。ファンモータＭ２の電源電圧は、リレーＳＷ４がオン状態にあるときに、ファンモータＭ２に供給される。リレーＳＷ４は、ＣＰＵ２３によって制御される。具体的には、ＣＰＵ２３は、ファンモータＭ２を駆動させる期間に限ってリレーＳＷ４をオン状態とする。これにより、ファンモータＭ２が駆動していない期間における電源供給を遮断することができ、消費電力を低減させることが可能となる。
また、補機回路３０ａにおいて、平滑コンデンサ３３と並列に抵抗３４が接続されているので、電源遮断時や逆起電力発生時において、平滑コンデンサ３３に蓄えられた電荷を速やかに放電させることが可能となる。
【００３９】
〔第３実施形態〕
以下に、本発明の第３実施形態に係る制御装置および該制御装置を備える空気調和機について、図面を参照して説明する。なお、第１実施形態と共通する構成については同一の符号を付し説明を省略し、異なる点について主に説明する。
【００４０】
図５は、本発明の第３実施形態に係る制御装置の概略回路構成を示した図である。本実施形態に係る制御装置は、ＣＰＵ用電源回路が補機用スイッチング電源回路と一体化されている点、インバータ用スイッチング電源回路が直流正極母線Ａ（＋）及び直流負極母線Ａ（−）に接続されている点において、第１実施形態に係る制御装置と異なる。
【００４１】
図５に示すように、補機用スイッチング電源回路３２´は、ＣＰＵ用電源回路３２ａ、及び補機用電源回路３２ｂを備えている。これにより、いずれか一相Ｌ１と中性点Ｎからの交流電圧が整流回路３１によって直流電圧に変換され、補機用スイッチング電源回路３２´において、この直流電圧からＣＰＵ２３の電源電圧と、ファンモータＭ２の電源電圧が生成される。ＣＰＵ２３の電源電圧はＣＰＵ２３に供給され、ファンモータＭ２の電源電圧はファンモータＭ２に供給される。
【００４２】
ＣＰＵ２３のＧＮＤ２は、補機回路３０ｂのグランドＧＮＤ２と共通化されている。したがって、ＣＰＵ２３から出力されるインバータ用制御信号は、フォトカプラ４３を介してインバータ１３に出力される。その一方で、ＣＰＵ２３とファンモータＭ２とは共通のグランドＧＮＤ２とされていることから、ファンモータＭ２の制御信号はフォトカプラを介さずにそのまま入力される。
【００４３】
本実施形態に係る制御装置によれば、第１及び第２実施形態に係る制御装置に対して、整流回路２１及び平滑コンデンサ２４を省略することができる。これにより、更なる部品点数の削減および基板占有面積の縮小を図ることができる。
【符号の説明】
【００４４】
１  空気調和機
２  圧縮機
５  室外ファン
１０  主回路
１１  交流電源
１２，３１  整流回路
１３  インバータ
１４、２４、３３  平滑コンデンサ
２０  制御用回路
２１  整流回路
２２、２２´  インバータ用スイッチング電源回路
２２ａ  インバータ用電源回路
２２ｂ、３２ａ  ＣＰＵ用電源回路
２２ｃ、３２ｂ  補機用電源回路
２３  ＣＰＵ
２６  第１ダイオード
２７  第２ダイオード
３０、３０ａ、３０ｂ  補機回路
３２、３２´：補機用スイッチング電源回路
Ａ（＋）、Ｂ（＋）  直流正極母線
Ａ（−）、Ｂ（−）  直流負極母線
Ｃ（＋）：正極配線
Ｃ（−）：負極配線
Ｍ１  圧縮機モータ
Ｍ２  ファンモータ
Ｎ  中性点
ＳＷ１〜５  リレー
【図１】
2017208972.tif 000003
【図２】
2017208972.tif 000004
【図３】
2017208972.tif 000005
【図４】
2017208972.tif 000006
【図５】
2017208972.tif 000007
【図６】
2017208972.tif 000008